(57)【要約】【課題】各種機器類を収容するために使用するラックでは、機器の取り付けや取り外しを容易にするためにプルアウトシェルフを利用するが、機器が押しボタン操作等により動いてしまったり、操作時や地震等の振動により、機器が落下したりするのを防ぐために、従来は、個々の足固定ブラケットにより機器の足を固定していた。このようなプルアウトシェルフでは、足固定ブラケット毎に、足位置に合うように左右方向と前後方向の位置決め調整をしなければならず位置決めに手間が掛かるという課題がある。【解決手段】本発明では機器載置面５の前側と後側に機器足固定ブラケット位置決め部材６ａ、６ｂを前後方向に移動可能に配置すると共に位置決め固定機構７を設け、位置決め部材６の両端には、機器足固定ブラケット８を左右方向に移動可能に配置し、位置決め固定機構９を設けたプルアウトシェルフを提案する。【選択図】図２
2008251943.tif 000002
【特許請求の範囲】
【請求項１】
機器載置面の前側と後側のそれぞれに、機器足固定ブラケット位置決め部材を前後方向に移動可能に配置するとともに、適所での位置決め固定機構を設け、さらにそれぞれの機器足固定ブラケット位置決め部材の両端には、機器足固定ブラケットを左右方向に移動可能に配置するとともに、適所での位置決め固定機構を設けたことを特徴とするプルアウトシェルフ。
【請求項２】
機器載置面の前側と後側のそれぞれに、一対の前後方向の案内溝を平行に形成するとともに、機器足固定ブラケット位置決め部材に雄ネジ部材の貫通孔を設け、雄ネジ部材を案内溝と貫通孔を貫通させて雌ねじ部材に螺合させて、適所で位置決めする固定機構を構成したことを特徴とする請求項１に記載のプルアウトシェルフ。
【請求項３】
機器足固定ブラケット位置決め部材の両端のそれぞれに、一対の左右方向の案内溝を平行に形成するとともに、機器足固定ブラケットに雄ネジ部材の貫通孔を設け、雄ネジ部材を案内溝と貫通孔を貫通させて雌ねじ部材に螺合させて、適所で位置決めする固定機構を構成したことを特徴とする請求項１に記載のプルアウトシェルフ。
【発明の詳細な説明】
【技術分野】
【０００１】
本発明は、音響機器や通信機器、電子機器等の重量機器を収容するためのラックにおいて使用するプルアウトシェルフ（機器載置用引出棚）に関するものである。
【背景技術】
【０００２】
音響機器、通信機器、あるいは測定機器等の電子機器類を複数、集中的に収容するためには、例えば、図５に示すような、規格のある１９インチラック１０１を使用する。このようなラック１０１の枠１０２に、機器１０３を直接ネジ留めして、機器１０３をラック１０１に収容すれば、低コストではあるが、機器１０３の取り付けや取り外しに手間がかかり、保守点検の作業性が極めて悪いという問題点がある。
【０００３】
このような問題点を解決するものとして、プルアウトシェルフ１０４がある。このような棚はラック１０１の前方（矢印Ｆの方向）に引き出して、機器類（図示省略）をこの上に載置した後、元に戻して機器を収容することができる。
【０００４】
また、このようにプルアウトシェルフ１０４に載置してラック１０１に収容した機器類は収容時と同様に、プルアウトシェルフ１０４をラック１０１の前方に引き出して取り外すことができ、また保守点検のさいにもプルアウトシェルフ１０４をラック１０１の前方に引き出した状態で作業ができるので、直接ネジ留めする方式にくらべ、作業性を飛躍的に改善することができる。
【０００５】
従来のプルアウトシェルフ１０４としては、例えば特許文献１に示されるものがある。これは図６に示すように、プルアウトシェルフ１０４の機器載置面１０５の両側に、機器の足を載置するための凹部１０６（１０６ａ、１０６ｂ）を設けるとともに、この凹部１０６において機器の足を固定するための足固定ブラケット１０７を調節可能に設けている。
【０００６】
足固定ブラケット１０７は断面がＺ形の形状をしており、重量機器類の足部を当接可能に円弧状に形成した当接部１０８と、凹部１０６に接する基底部１０９とを有し、この基底部１０９を、凹部１０６に形成した数本のスリット１１０上を移動させて取り付け位置を調節し、基底部１０９に設けた長穴１１１を、スリット１１０に合わせた状態で固定するようにしている。
【０００７】
このような従来のプルアウトシェルフ１０４では、円弧状の当接部１０８が載置する機器の足位置に合うように、足固定ブラケット１０７の取り付け位置を調節することにより、機器の足をしっかりと固定できるので、例えば機器に対する押しボタン操作等をしても、機器が後ろの方へずれてしまうことも防げるし、またプルアウトシェルフ１０４の引き出し操作時や地震等の振動により、機器がプルアウトシェルフ１０４から落下したりするのも防ぐことができる。
【０００８】
しかしながら、このような従来のプルアウトシェルフ１０４では、機器の固定時においては、４個の足固定ブラケット１０７のそれぞれについて、円弧状の当接部１０８が載置する機器の足位置に合うように、左右方向と前後方向の位置決め調整をしなければならず、位置決めに手間が掛かるという問題点がある。
【特許文献１】特許第３５９９２２０号公報
【発明の開示】
【発明が解決しようとする課題】
【０００９】
このように、従来のプルアウトシェルフは、足固定ブラケットの取り付け位置を調節することにより、機器の足をしっかりと固定することができるが、４個の足固定ブラケットのそれぞれについて、左右方向と前後方向の位置決め調整をしなければならず、位置決めに手間が掛かるという問題点がある。
本発明はこのような課題を解決することを目的とするものである。
【課題を解決するための手段】
【００１０】
以上の課題を解決するために，本発明では、機器載置面の前側と後側のそれぞれに、機器足固定ブラケット位置決め部材を前後方向に移動可能に配置するとともに、適所での位置決め固定機構を設け、さらにそれぞれの機器足固定ブラケット位置決め部材の両端には、機器足固定ブラケットを左右方向に移動可能に配置するとともに、適所での位置決め固定機構を設けたプルアウトシェルフを提案する。
【００１１】
そして、本発明は上記構成において、機器載置面の前側と後側のそれぞれに、一対の前後方向の案内溝を平行に形成するとともに、機器足固定ブラケット位置決め部材に雄ネジ部材の貫通孔を設け、雄ネジ部材を案内溝と貫通孔を貫通させて雌ねじ部材に螺合させて、適所で位置決めする固定機構を構成したプルアウトシェルフを提案する。
【００１２】
また本発明は上記構成において、機器足固定ブラケット位置決め部材の両端のそれぞれに、一対の左右方向の案内溝を平行に形成するとともに、機器足固定ブラケットに雄ネジ部材の貫通孔を設け、雄ネジ部材を案内溝と貫通孔を貫通させて雌ねじ部材に螺合させて、適所で位置決めする固定機構を構成したプルアウトシェルフを提案する。
【発明の効果】
【００１３】
本発明のプルアウトシェルフは機器載置面の前側と後側のそれぞれに、機器足固定ブラケット位置決め部材を前後方向に移動可能に配置するとともに、適所での位置決め固定機構を設け、さらにそれぞれの機器足固定ブラケット位置決め部材の両端には、機器足固定ブラケットを左右方向に移動可能に配置するとともに、適所での位置決め固定機構を設けているので、機器載置面の前側に配置した機器足固定ブラケット位置決め部材を前後方向に移動または固定することにより、この両端に配置した機器足固定ブラケットに対し、一括して前後方向の位置決め調整を行うことができる。
【００１４】
同様に機器載置面の後側に配置した機器足固定ブラケット位置決め部材を前後方向に移動または固定することにより、この両端に配置した機器足固定ブラケットに対しても、一括した前後方向の位置決め調整が可能である。
【００１５】
そして、それぞれの機器足固定ブラケットは左右方向に移動可能で、しかも適所で固定できるので、機器の足位置に合わせて位置決めして固定すれば、機器の足をしっかりと固定することができる。
【００１６】
以上のように、本発明のプルアウトシェルフは載置機器の足を固定するための操作を、極めて簡素化しうるという効果がある。
【発明を実施するための最良の形態】
【００１７】
次に本発明の実施例を添付図面を参照して説明する。
図１〜図４は本発明に係る実施例を示すもので、図１は本発明のプルアウトシェルフ１の使用状態の斜視図で、本発明のプルアウトシェルフ１は、ラック２に対し、スライドレール３を介して取り付ける機器載置用の棚である。音響機器、通信機器や電子機器等の機器４をラック２に収容する場合は、プルアウトシェルフ１をラック２の前方（矢印Ｆの方向）に引き出して、機器４をこの上に載置した後、元に戻して機器４をラック２の中に収容することができる。また、このようにプルアウトシェルフ１に載置してラック２に収容した機器４は収容時と同様に、プルアウトシェルフ１をラック２の前方に引き出して取り外すことができ、また保守点検のさいにもプルアウトシェルフ１をラック２の前方に引き出した状態で作業を行うことができる。
【００１８】
本発明のプルアウトシェルフ１は、さらに図２に示すように、機器載置面５の前側と後側のそれぞれに、機器足固定ブラケット位置決め部材６（６ａ、６ｂ）を前後方向に移動可能に配置するとともに、適所での位置決め固定機構７を設け、さらにそれぞれの機器足固定ブラケット位置決め部材６の両端には、機器足固定ブラケット８を左右方向に移動可能に配置するとともに、適所での位置決め固定機構９を設けている。
【００１９】
なお、図２において、テープトレイ１０は保守点検時等において、工具やビニルテープ等の小物を置くための部材で、使用時はプルアウトシェルフ１の前面パネル１１に設けたスリット１２を介して前面パネル１１の前方に引き出して使用し、使用後は押し込んで収容する。停止用部材１３はこのような押し込み時に、テープトレイ１０を所定の位置で停止させるためのものである。
【００２０】
本発明の実施例においては、図２、図３に示すように、プルアウトシェルフ１の機器載置面５の前側と後側のそれぞれに、一対の前後方向の案内溝１４（１４ａ１、１４ａ２、１４ｂ１、１４ｂ２）を平行に形成するとともに、機器足固定ブラケット位置決め部材６に雄ネジ部材１５を取り付け、さらにこの雄ネジ部材１５は案内溝１４を機器載置面５側から裏面５ｂ側に貫通させて案内溝１４に係合させて、機器足固定ブラケット位置決め部材６を前後方向に移動可能に配置し、そして雄ネジ部材１５に対し、裏面５ｂ側から嵌合させた雌ネジ部材１６により、機器足固定ブラケット位置決め部材６を、適所で位置決めする固定機構を構成している。
【００２１】
さらに、機器足固定ブラケット位置決め部材６の両端のそれぞれには、一対の左右方向の案内溝１７（１７ａ１、１７ａ２、１７ｂ１、１７ｂ２）を平行に形成するとともに、図４に示すように、機器足固定ブラケット８に雄ネジ部材１８を取り付け、さらにこの雄ネジ部材１８は案内溝１７を機器載置面５側から裏面５ｂ側に貫通させて案内溝１７に係合させて、機器足固定ブラケット８を左右方向に移動可能に配置し、そして雄ネジ部材１８に対し、裏面５ｂ側から嵌合させた雌ネジ部材１９により、機器足固定ブラケット８を、適所で位置決めする固定機構を構成している。
【００２２】
また、機器足固定ブラケット位置決め部材６の前後方向の移動の範囲と、機器足固定ブラケット８の左右方向の移動の範囲において、機器足固定ブラケット８に取り付けた雄ネジ部材１８に対する、裏面５ｂ側からの雌ネジ部材１９の嵌合操作を可能にするために、機器載置面５の前側と後側のそれぞれに、一対の前後方向の嵌合操作孔２０（２０ａ１、２０ａ２、２０ｂ１、２０ｂ２）を設けている。
【００２３】
以上のような構成において、機器４をラック２に収容する場合は、図１に示すように、プルアウトシェルフ１をラック２の前方（矢印Ｆの方向）に引き出して、機器４をこの上に載置する。そして、機器足固定ブラケット位置決め部材６ａ、６ｂを前後方向に移動させて、機器足固定ブラケット８が機器４の足２１に対応するように位置決めし、固定する。次に、機器足固定ブラケット８を左右方向に移動させて、その半円形に形成した機器足固定部２２を、機器４の足２１に合わせて固定すれば、この機器足固定部２２が半円形の形状なので、機器足２１に対する整合性がたいへん良く、したがって機器４をプルアウトシェルフ１にしっかりと固定することができる。
【００２４】
このように、本発明のプルアウトシェルフ１においては、機器足固定ブラケット位置決め部材６を前後方向に移動させることにより、その両端に配置した機器足固定ブラケット８を一括して位置決めできるので、載置機器の足を固定するための操作が、極めて簡単である。
【００２５】
引き出したプルアウトシェルフ１に固定した機器４は、プルアウトシェルフ１を元に戻すことにより、ラック２に収容することができる。また、機器４をラック２から取り外す場合は、プルアウトシェルフ１を引き出し、機器足固定ブラケット８の位置決め固定機構９を解除して、その機器足固定部２２を、機器４の足２１から離すだけでよい。
【産業上の利用可能性】
【００２６】
以上のように、本発明のプルアウトシェルフは載置機器の足を固定するための作業を、極めて簡素化できるので、通信機器や電子機器等の各種機器類をラックに収容するための取付け工事を省力化し、スピードアップできるのはもちろん、すでにラックに収容されている機器類に対する保守点検作業も容易にしうるので、取付け工事や保守点検に要する費用の低減に大いに役立ち、その産業上の利用可能性はきわめて大である。とくに、作業対象とする機器の数が多いと、その費用削減効果は甚大である。
【図面の簡単な説明】
【００２７】
【図１】本発明のプルアウトシェルフ１の使用状態の斜視図的説明図。
【図２】本発明のプルアウトシェルフ１の斜視図的説明図。
【図３】本発明のプルアウトシェルフ１における要部の拡大図的説明図。
【図４】本発明のプルアウトシェルフ１における要部の拡大図的説明図。
【図５】従来例の説明図
【図６】従来例の説明図。
【符号の説明】
【００２８】
１                本発明のプルアウトシェルフ
２                ラック
３                スライドレール
４                機器
５                機器載置面
６（６ａ、６ｂ）  機器足固定ブラケット位置決め部材
７                固定機構
８                機器足固定ブラケット
９                固定機構
１０              テープトレイ
１１              前面パネル
１２              スリット
１３              停止用部材
１４              案内溝
（１４ａ１、１４ａ２）      前側の案内溝
（１４ｂ１、１４ｂ２）      後側の案内溝
１５              雄ネジ部材
１６              雌ネジ部材
１７              案内溝
（１７ａ１、１７ａ２）      右側の案内溝
（１７ｂ１、１７ｂ２）      左側の案内溝
１８              雄ネジ部材
１９              雌ネジ部材
２０              嵌合操作孔
（２０ａ１、２０ａ２）      前側の嵌合操作孔
（２０ｂ１、２０ｂ２）      後側の嵌合操作孔  
２１              機器４の足
２２              機器足固定部
Ｆ                ラック２の前方
１０１            ラック
１０２            枠
１０３            機器
１０４            プルアウトシェルフ
Ｆ                ラック１０１の前方
１０５            機器載置面
１０６（１０６ａ、１０６ｂ）    凹部
１０７            足固定ブラケット
１０８            当接部
１０９            基底部
１１０            スリット
１１１            長穴
【図１】
2008251943.tif 000003
【図２】
2008251943.tif 000004
【図３】
2008251943.tif 000005
【図４】
2008251943.tif 000006
【図５】
2008251943.tif 000007
【図６】
2008251943.tif 000008